(57)【要約】【課題】データ担体用セキュリティ手段を提供し、ふつうであれば変更不能なデータ担体（例えば光データ担体）を高いコピー防止機能が得られるように変更ないしは拡張する。【解決手段】データ担体に接して、またはデータ担体の内部またはそのケーシングに固定されており、特にデータ担体のために設けられている書き込み読み出し装置を介して特に双方向でデータをセキュリティ手段と交換可能である。【選択図】図１
2005222686.tif 000002
【特許請求の範囲】
【請求項１】
データ担体（１）に接して、またはデータ担体（１）の内部またはそのケーシングに固定されており、
例えばデータ担体（１）のために設けられている書き込み読み出し装置（１０）を介して例えば双方向でデータをセキュリティ手段（３）と交換可能である
ことを特徴とするデータ担体用セキュリティ手段。
【請求項２】
後からデータ担体（１）に接してまたはそのケーシングに被着可能であり、例えばそのために設けられた切欠に被着される、請求項１記載のセキュリティ手段。
【請求項３】
セキュリティ手段（３）は例えばデータの記憶および／または処理を行う電子回路（２）を有している、請求項１または２記載のセキュリティ手段。
【請求項４】
電子回路（２）にはデータ担体（１）のために設けられている書き込み読み出し装置（１０）を介して例えば無線でエネルギが供給される、請求項３記載のセキュリティ手段。
【請求項５】
エネルギ供給は光および／または誘導により行われる、請求項４記載のセキュリティ手段。
【請求項６】
データ伝送は光および／または誘導により、例えばデータ担体（１）のために設けられた書き込み読み出し装置（１０）内のレーザー装置（１１）を介して行われる、請求項１から３までのいずれか１項記載のセキュリティ手段。
【請求項７】
データ担体（１）が回転する場合、セキュリティ手段は回転軸線を中心として同じ距離の箇所に同心状に延在している、請求項１から６までのいずれか１項記載のセキュリティ手段。
【請求項８】
電子回路（２）はプリントプロセスによりデータ担体（１）上に被着されている、請求項１から７までのいずれか１項記載のセキュリティ手段。
【請求項９】
セキュリティ手段はデータ担体（１）に記憶されたソフトウェアのインタラクティブな構成要素を成している、請求項１から８までのいずれか１項記載のセキュリティ手段。
【請求項１０】
請求項１から９までのいずれか１項記載のセキュリティ手段（３）を備えていることを特徴とするデータ担体（１）、例えば光データ担体。
【請求項１１】
データ担体（１）上またはデータ担体（１）に接して配置された電子的セキュリティ手段（３）へデータを書き込み、該データをセキュリティ手段（３）により処理し、処理結果をセキュリティ手段（３）から読み出す
ことを特徴とするデータ担体の不正コピー防止方法。
【請求項１２】
セキュリティ手段（３）へのデータの書き込みおよび／またはセキュリティ手段（３）からのデータの読み出しをデータ担体（１）のために設けられている書き込み読み出し装置（１０）を介して、例えば光データ担体の場合のレーザー装置（１１）を介して行う、請求項１１記載の方法。
【発明の詳細な説明】
【技術分野】
【０００１】
本発明はデータ担体用セキュリティ手段、データ担体、およびデータ担体の不正コピー防止方法に関する。
【背景技術】
【０００２】
データ担体、特に光データ担体は、産業においても日常生活においても多くの分野で使用されている。例えばコンパクトディスクＣＤまたはディジタルヴァーサティルディスクＤＶＤはソフトウェア、データ、音楽、映像などを圧縮形式または非圧縮形式で記憶する際に用いられている。
【０００３】
大きなデータ量を収容することができるデータ担体も最近は有利に低コストに製造でき、長い寿命を有している。
【０００４】
しかし産業において不正コピーが増大しており、特に専門の偽造業者がこれを製造し販売しているという大きな問題がある。したがって最近ではコピーを不能または困難にする目的の種々の保護機構が適用されている。
【０００５】
ただし同時にコピー装置およびコピー作成のためのソフトウェアもますます改良されている。またデータ担体のコピー防止機能が短時間しか作用しなかったり、市販で入手可能な相応のプログラムを用いて回避されうるものであったりするため、不正コピーは種々の手段で可能となってしまう。
【０００６】
コピー防止機構の多くは、データ担体のうち通常のアクセスの阻止されている所定の領域にセキュリティ要求時にアクセス可能なデータが格納されているものである。
【０００７】
こうしたセキュリティ要求のためのマークの設けられたデータ担体は、従来のデータ担体と同様の手段で製造されるので、製造コストも従来とほぼ等しい。欠点は、多くのコピープログラムが同様にこの領域にもアクセス可能であって、コピー防止機能が回避されてしまったり、あるいは全く効果なく一緒にコピーされてしまうことである。後者の場合、こうしたデータ内容までコピーされてしまうと、もはやオリジナルと区別がつかない。
【０００８】
さらにＣＤ，ＤＶＤなどのデータ担体でセキュリティ関連データを保護領域から読み出すことが知られている。これは保護すべきプログラムの通常動作中に実行することができる。書き込み読み出し装置の通常のアクセス制限を迂回する特殊なソフトウェアルーチンにより、例えばプログラムフロー中に１回または複数回、オリジナルデータ担体（例えばＣＤ）の存在が検査される。
【０００９】
この手法の欠点はコピー防止機能が比較的簡単に回避されうる点にある。なぜなら不正コピーを行おうとする者は、ソフトウェアのうちデータ担体に格納されたデータの要求に対応する部分を除去したり回避したり置換したりするだけで良いからである。このような場合、従来コピーされたプログラムはそれ以上検査が行われないように変更されていた。
【発明の開示】
【発明が解決しようとする課題】
【００１０】
本発明の課題は、データ担体用セキュリティ手段を提供し、ふつうであれば変更不能なデータ担体（例えば光データ担体）を高いコピー防止機能が得られるように変更ないしは拡張することである。
【００１１】
本発明の別の課題は、従来の製造プロセスで低コストに製造可能なセキュリティ手段を備えたデータ担体を提供し、しかもこのセキュリティ手段に基づくコピー防止機能を回避不能にすることである。
【課題を解決するための手段】
【００１２】
この課題は、データ担体に接して、またはデータ担体の内部またはそのケーシングに固定されており、特にデータ担体のために設けられている書き込み読み出し装置を介して特に双方向でデータをセキュリティ手段と交換可能である構成により解決される。
【発明を実施するための最良の形態】
【００１３】
本発明によれば、既存の従来のデータ担体に製造過程で本発明のセキュリティ手段を設けることもできるし、また後からデータ担体やそのケーシングに本発明のセキュリティ手段を被着することもできる。このために特にデータ担体に相応の切欠を設けることができる。
【００１４】
本発明によれば、データ担体およびセキュリティ手段は基体の異なる２つのユニットであり、相互に接続可能であるか、またはメーカで既に接続されている。ここでは特にデータ担体とセキュリティ関連データを有するセキュリティ手段とはデータの記憶および処理の点で区別される。
【００１５】
例えば従来のＣＤ，ＤＶＤなどの光データ担体では、このために設けられている相応の書き込み読み出し装置を用いていわゆる“焼き”操作（データ担体への書き込み操作）が可能であるが、本発明のセキュリティ手段のセキュリティに関連するマークがデータ担体に存在していれば、書き込み読み出し装置を用いて特にセキュリティ手段そのものやそこに含まれているマークをコピーする操作は不可能となる。したがって不正コピーを行おうとする者は光データ担体のデータ内容またはソフトウェアは基本的にはコピーできるが、データ担体と一体に接続されているものの物理的に分離されているセキュリティ手段のセキュリティ関連マークをコピーすることはできない。
【００１６】
本発明によれば、セキュリティ手段はデータ担体に接して、またはデータ担体の内部に、またはデータ担体のケーシングに取り付けられており、電子回路および／またはコンピュータ上で動作するソフトウェアを介して読み出しまたは書き込みまたは変更可能なデータを有している。コンピュータ上で動作するソフトウェアはここでは有利には、データ担体に記憶され、そこからコンピュータへダウンロードされるソフトウェアである。
【００１７】
本発明のデータ担体から送出されるソフトウェアはインストール中におよび／または使用期間中に、セキュリティ手段を備えたデータ担体が書き込み読み出し装置内に挿入されているか否か、およびこれがオリジナルのデータ担体であるか否かを検査する。
【００１８】
コンピュータおよび特にデータ担体のために設けられている書き込み読み出し装置を介してセキュリティ手段と双方向のデータ交換を行えるようにするために、本発明の有利な実施形態によれば、セキュリティ手段は特にデータの記憶および／または処理を行う電子回路を有している。
【００１９】
例えばデータ担体に送出されるデータの一部をセキュリティ手段に格納し、使用されるデータの全体をデータ担体およびセキュリティ手段の合計から得ることができる。これによりデータはセキュリティ手段およびデータ担体が共働しないかぎり利用できなくなる。
【００２０】
同様に、セキュリティ関連データまたは一般的なセキュリティ関連マークをセキュリティ手段に記憶し、これを読み出して検査に用いることのほか、データまたはマークをセキュリティ手段へ書き込み、そうしたセキュリティ手段が存在しているか否かを検査してもよい。
【００２１】
なおデータまたはマークをセキュリティ手段へ書き込み、書き込まれたデータまたはマークをセキュリティ手段でアクティブに処理し、処理結果をセキュリティ手段から読み出して検査することもできる。これによりデータ担体のオーセンティフィケーションが可能となる。このようにすれば光データ担体または磁気データ担体での不正コピーが防止される。なぜなら、本発明のセキュリティ手段はデータの読み出しおよび書き込みのための従来の書き込み読み出し装置を用いてもコピーすることができないからである。
【００２２】
本発明の有利な実施形態では、データ担体のために設けられている書き込み読み出し装置を介して電子回路に例えば無線でエネルギが供給される。こうしたエネルギ供給は例えば光によっておよび／または誘導によって行われるが、もちろん他の手段を用いてもよい。特に有利な実施形態では、エネルギ供給は例えばデータ担体のために設けられた典型的な書き込み読み出し装置内のレーザー装置を介して行われる。このためにセキュリティ手段は光エネルギを電気エネルギへ変換する少なくとも１つのエネルギ変換器、例えばフォトセルを有している。
【００２３】
別の有利な実施形態では、データ担体と読み出し装置とのあいだのデータ伝送は無線波を介して実現される。この場合、読み出し装置はセキュリティ手段とのインタラクティブなデータ交換のために、データ担体の読み出し装置と同一であってよく、またデータ担体の読み出し装置よりも到達範囲の大きな無線波を使用するものであってもよい。データ伝送のタイプはいわゆるトランスポンダシステムとして周知のものである。この実施形態では従来のデータ担体用の既存の読み出し装置を有利に使用でき、セキュリティ手段との通信のために付加的な送受信モジュールが１つ必要となるだけである。
【００２４】
本発明の有利な実施形態では、セキュリティ手段からのデータ伝送およびセキュリティ手段へのデータ伝送は光および／または誘導および／または磁気により、特にレーザー装置を介して行われる。このレーザーは典型的には光データ担体用の書き込み読み出し装置内に設けられている。
【００２５】
セキュリティ手段のデータ伝送およびエネルギ伝送をこのように実現することにより、特に従来のタイプの光データ担体またはその他の例えば磁気タイプのデータ担体用の既存の書き込み読み出し装置を純粋にハードウェア側において使用でき、この書き込み読み出し装置を駆動してセキュリティ手段へのデータの書き込みおよびセキュリティ手段からのデータの読み出しを可能にするために唯一のソフトウェアを使用するだけで良い。
【００２６】
データの書き込みおよび読み出しおよびエネルギ伝送は、回転するデータ担体で、セキュリティ手段がデータ担体の回転軸線を中心とした一定の距離の位置に同心状に配置されている場合に特に簡単化される。このようにすれば従来の書き込み読み出し装置の書き込み読み出しユニット（例えばヘッド）は回転軸線に対して適切な半径方向距離で調整され、データ担体への書き込みおよびデータ担体からの読み出し、相応のセキュリティ手段からのデータ伝送およびセキュリティ手段へのデータ伝送やエネルギ伝送が行われる。
【００２７】
同様に、セキュリティ手段は回転するデータ担体上の特定の位置に被着されており、データ担体とともに回転運動する。ここでセキュリティ手段からのデータ伝送またはセキュリティ手段へのデータ伝送は従来の書き込み読み出し装置の書き込み読み出しユニットが通過する際にこれに同期して行われる。このために書き込み読み出しユニットは回転軸線に対して予め定められた半径方向距離に配置され、データ伝送が行われる。
【００２８】
さらに書き込み読み出し装置にエネルギ伝送および／またはデータ伝送のための個別のユニットを組み込んでもよい。これは特にセキュリティ手段がデータ担体に接してまたはその内部に、またはデータ担体のケーシングに配置されている場合に有利である。
【００２９】
特に有利な実施形態では、セキュリティ手段の電子回路はプリントプロセスによりデータ担体上に被着されている。このようにすれば特に簡単に電子的な薄いセキュリティ手段をデータ担体上に被着することができる。
【００３０】
プリント技術によりポリマー電子回路で実現されるこの構成の別の利点は、回路の機械的フレキシビリティが得られること、およびデータ担体の製造プロセスにおけるコストが抑えられることである。例えばポリマー電子回路をデータ担体上に被着することにより、例えば光集積インタフェースを介して従来の書き込み読み出し装置の書き込み読み出しヘッド（ＣＤ作成装置またはＤＶＤ作成装置のレーザーユニット）へデータまたは情報を供給することができるし、レーザー装置のみを介してデータまたは情報を交換することができる。
【００３１】
セキュリティ手段の電子回路をプリント技術によって実現することに基づいて、セキュリティ手段にはデータ担体、ひいてはそこに記憶されているデータまたはソフトウェアとインタラクティブに作用する構成要素が得られる。例えばデータ担体上のデータの阻止領域に構成されたセキュリティ手段には専用のソフトウェアルーチンを介してしかアクセスできない。このとき周知の方法とは異なり、単に変更不能なデータを読み出すだけでなく、可変のデータを書き込んだり、および／またはデータ担体または対応するセキュリティ手段で行われたアクティブな処理の後ふたたび読み出しを行ってコンピュータ上で動作するプログラムへこれを送出したりすることもできる。
【００３２】
上述の回路は例えば電子的な能動素子および受動素子から成る電子モジュールを使用することにより実現される。これらは個別の製造プロセスの周知の手段で製造可能である。
【００３３】
モジュールまたはセキュリティ手段の形状はここでは後のプロセスで設けられる切欠に適応するように選定される。切欠は例えばデータ担体またはそのケーシングの開口部または凹部である。
【００３４】
前述したように、電子回路へのエネルギ供給は、光エネルギから電気エネルギへの変換を行う集積素子を介して行われる。これは例えばフォトセルまたはソーラーセルである。これにより従来の書き込み読み出し装置のレーザービームを使用してエネルギを伝送することができる。
【００３５】
付加的にセキュリティ手段またはデータ担体には、書き込み読み出し装置による書き込み読み出し過程中にセキュリティ手段の電子回路へエネルギを供給するエネルギ蓄積器、例えばコンデンサまたはアキュムレータが設けられている。
【００３６】
これに代えて、エネルギ結合は前述のように基本的に誘導的に、例えば被着されたコイルを介して行うこともできるので、エネルギ入力には特に光データ担体の回転も利用される。この場合例えば書き込み読み出し装置内に１つまたは複数の磁石が配置され、これを介してエネルギ結合が行われる。
【００３７】
磁石として例えば厚さ１ｍｍ以下の可撓性のプラスティック結合された磁気シートが使用される。これは従来の書き込み読み出し装置の適切な位置へ収容される。プラスティック結合された磁石はあらゆる形状に製造することができ、製造プロセス中に種々の手段であらかじめ磁気をバイアスすることができる。このため例えば磁極がリング表面のリングセグメントごとに変化した環状の磁気シートを形成することができる。
【００３８】
こうしたシートが例えば光データ担体（ＣＤ、ＤＶＤ）が書き込み読み出し装置へ挿入されたときの所定の位置に対して同心状に構成されている場合、本発明のデータ担体では相応の位置にコイルが配置され、データ担体が通常のように回転すると前述のコイルに効果的な誘導が発生する。これにより本発明の電子的なセキュリティ手段にはきわめて効果的に電流が供給される。
【００３９】
その際にコイルを例えばセキュリティ手段の内部またはセキュリティ手段上に直接に配置してもよいし、そこから空間的に離して配置してもよい。こうしてセキュリティ手段へのエネルギ伝送を行うことができる。このために相応の電気的導体路が光データ担体上に設けられる。これは同様にプリントプロセスによってデータ担体上に被着される。
【００４０】
本発明のセキュリティ手段を備えた書き込み読み出し装置とデータ担体とのあいだのデータ交換に対しては、前述のように、書き込み読み出し装置内に設けられている書き込み読み出し用の光ヘッドが用いられる。有利にはセキュリティ手段内に少なくとも１つの光活性素子が設けられ、その反射特性が電気的に変更される。同様にセキュリティ手段にも少なくとも１つのフォトエレメントを被着し、変調レーザービームの情報を受信させる。また書き込み読み出し装置に本発明のセキュリティ手段の書き込みまたは読み出し用の別個のユニットを設けることもできる。
【００４１】
電子的なセキュリティ手段またはそこに配置されている電子回路は、例えばメモリ、計算素子などとして構成されている。これは特に後のプロセスで一度だけ個別化情報の書き込みが可能なＲＯＭメモリである。こうした書き込みは例えば製造プロセス中に行われるか、最初の使用開始時、またはユーザによるインストール時に行われる。また再度の書き込みが可能なメモリを使用してもよい。
【００４２】
前述の電子回路を実現するために、例えばデータ担体の表面またはそのケーシングの特定の領域にプリントプロセスにより電子メモリまたは計算素子として作用する有機半導体構造体を被着することができる。こうした構造体の被着は例えば以下のような複数のステップで行われる。
【００４３】
電気的導体路のパターンはコンタクト、接続線路、コイルなどの形態でプリントプロセスによりデータ担体またはそのケーシング上に被着される。場合によりあらかじめ選択され被着された電気コンタクトのあいだには電子部品（例えば抵抗素子）が被着される。選択されたコンタクトまたは導体路パターンは適切なプロセス（例えばレーザーアブレーションなど）によってパターニングされ、半導体素子（例えばダイオード、トランジスタ、ソーラーセルなど）を形成するのに必要な微細構造が形成される。半導体材料はあらかじめ形成された微細構造の領域に被着される。被着された半導体材料の上には絶縁層が被着され、他の層に対するアイソレーションが実現される。個々の電気コンタクトを回路内で接続したり半導体構造体どうしをコンタクトしたりするためにさらに別の電気的導体路のパターンがプリントプロセスにより作成される。
【００４４】
導体路、抵抗素子などの電子部品、半導体材料および絶縁材料の被着は、前述のように適切なプリントプロセスによって、例えばフレキソ印刷、プレス印刷、オフセット印刷、凹版印刷、インクジェット印刷、電子写真、イオノグラフィまたはマグネトグラフィなどによって行われる。個々のケースに応じて、例えば必要な微細構造が選択されたプリントプロセスのみで得られた場合には、付加的なパターニングを省略することもできる。
【００４５】
別の実施形態として、さらに有利には、前述のステップに加えてまたは前述のステップに代えて、従来の電子的な能動素子または受動素子がデータ担体上または少なくとも部分的に実現されたセキュリティ手段上に被着される。この場合、従来の素子は例えばあらかじめ塗布された導電性の接着剤を介して選択されたコンタクトに導電接続される。また別の実施形態で従来のようにはんだ付けしてもよい。
【００４６】
電子モジュールおよび接続線路から成る回路網はセキュリティの電子回路を形成し、データ担体上のデータまたはソフトウェアのインタラクティブな構成要素となる。
【００４７】
同様に電流供給部を設け、特にプリント技術で被着された回路の少なくとも一部をフォトセルまたはソーラーセルまたは誘導ループとして構成することができる。これにより前述のような書き込み読み出し装置のレーザー装置を介してまたは付加的な磁石を介して、エネルギ伝送が可能となる。
【実施例】
【００４８】
本発明の実施例を以下に図に即して説明する。
【００４９】
図１には回転可能なデータ担体１、例えばＣＤまたはＤＶＤが示されている。このデータ担体は外周領域にセキュリティ手段３を有しており、ここには電子回路ユニット２のほか、例えばエネルギ伝送のための１つまたは複数のコイル４が配置されている。セキュリティ手段３は回転軸線を中心としてデータ担体の外縁領域に同心状に延在している。データ担体全体が運動するときの機械的な不平衡を最小化するために、有利には、セキュリティ手段３には１つまたは複数の補償用質量体７が設けられている。
【００５０】
エネルギ伝送のために、例えば図１に示されているリング５が設けられており、そのリングセグメント６は交互に反対の磁気極性を有する。
【００５１】
このような磁気リング５は書き込み読み出し装置内部に配置することができ、回転するデータ担体１またはその回転軸線に対してほぼ同心状に延在する。
【００５２】
データ担体１の回転により、その上に配置されている少なくとも１つのコイル４がリング５の相互に反対の磁気極性領域を次々に通過するので、交番磁界がコイル４に誘導電圧を発生させる。この誘導電圧が取り出され、セキュリティ手段３、特にその内部の電子回路２へのエネルギ供給のために用いられる。
【００５３】
セキュリティ手段３へのデータの書き込みまたはセキュリティ手段３からのデータの読み出しは、この実施例では例えばレーザー装置を介して行われる。このためにセキュリティ手段３は相応の光感応性コーティングを有する。この場合例えばセキュリティ手段３の表面の反射特性がレーザービームにより変更され、これによりデータが書き込まれるかまたは読み出される。
【００５４】
図２には同様にセキュリティ手段３が光データ担体の外縁領域に配置された類似の実施例が示されている。このデータ担体は縁領域に切欠が設けられているか、または厚みの低減された縁領域を有しており、ここにセキュリティ手段３が挿入される。わかりやすくするために、図２ではデータ担体１とセキュリティ手段３とは別個に示されている。
【００５５】
ここでの挿入は例えば後から行うことができる。前述の手段により、データ担体１（例えば光データ担体）には、あとから、またはメーカでの製造の際にすでに、電子的に活性かつ可変のセキュリティマークが設けられている。ここでセキュリティ手段３は、例えば従来の書き込み読み出し装置において内部に記憶されたセキュリティマークおよび／または情報に関するデータをインタラクティブに呼び出したり変更したりできるように構成されている。
【００５６】
図３、図４には同様にセキュリティ手段３が光データ担体１の外縁領域に配置されている実施例が示されている。ここでセキュリティ手段３へのエネルギ伝送は書き込み読み出し装置１０に設けられているレーザー装置１１を介して行われる。
【００５７】
レーザー装置１１はここでは位置Ａで、セキュリティ手段３に含まれる光エネルギ受信部８（例えばフォトセル）へのエネルギ送信機として用いられる。
【００５８】
書き込み読み出し装置１０とセキュリティ手段３とのあいだのデータ伝送も同様に位置Ａで、読み出し装置およびセキュリティ手段３の光活性層９を介して行われる。光活性層９はここでは読み出し装置からセキュリティ手段への情報伝送のために切り換えられ、光活性層９の下方に存在するフォトセルが読み出し装置から送信された信号を受信できる状態になる。
【００５９】
セキュリティ手段３から読み出し装置への情報伝送の際には、光活性層９は伝送すべきデータに相応に、例えばバイナリ信号の伝送のための２つのステータスが形成されるように変調される。ここで一方のステータスは例えば入射するレーザービームが高度に反射する状態であり、他方のステータスは入射するレーザービームが僅かしか反射しない状態である。このようにすればデータの読み出しに対して従来の光データ担体に必要な特性と同じ特性が得られる。読み出し装置の位置Ｂでは通常のようにデータ担体に記憶されたデータが読み出される。
【００６０】
図５には、データ担体と読み出し装置とのあいだのデータ伝送が付加的に無線波を介して実現される別の実施例が示されている。セキュリティ手段３に含まれている電子回路２はここでは無線送受信機を含む。コネクション区間の到達範囲はセキュリティ手段３に設けられているアンテナ１２により向上される。セキュリティ手段３とインタラクティブにデータ交換するための送受信機１３は、書き込み読み出し装置とは別個に組み込まれている。アンテナ１２を相応に構成すれば、これを前述のようにエネルギ伝送にも用いることができる。
【図面の簡単な説明】
【００６１】
【図１】セキュリティ手段および磁気エネルギ伝送部を備えたデータ担体を示す図である。
【図２】セキュリティ手段を収容する切欠を備えたデータ担体を示す図である。
【図３】セキュリティ手段へのデータ伝送およびエネルギ伝送を行う装置を示す図である。
【図４】光によるエネルギ伝送部およびデータ伝送部を備えたデータ担体を示す図である。
【図５】光磁気エネルギ伝送部および光データ伝送部または機能データ伝送部を備えたデータ担体を示す図である。
【符号の説明】
【００６２】
１  データ担体
２  電子回路ユニット
３  セキュリティ手段
４  コイル
５  リング
６  リングセグメント
７  補償質量体
８  エネルギ受信部
９  光活性層
１０  書き込み読み出し装置
１１  レーザー装置
１２  アンテナ
１３  送受信機
【図１】
2005222686.tif 000003
【図２】
2005222686.tif 000004
【図３】
2005222686.tif 000005
【図４】
2005222686.tif 000006
【図５】
2005222686.tif 000007